(57)【要約】【課題】  従来の天井ダクト、スポットクーラは、局所に向かって冷風等を送風する。一箇所に向かって送風する弊害があり、その解決策が望まれていること、又は不便、かつ無駄であって、その改良が要望される。弊害は、冷え過ぎの問題である。また、不便、かつ無駄は、作業者が、作業箇所を移動するに合わせて、対応する吹出口から送風することは、コスト面と、作業性に問題を残す。【解決手段】  本発明は、天井ダクトのダクト吹出口に装着する環体と、環体外面に添設した対の脚部、及び棧部でなるコ字形の取付体と、取付体に設けたファンと、環体に複数個設けた止め具と、止め具に設け、吹出口外面に圧着される第一の止め螺子と、取付体の各脚部の各長孔に設け、かつ環体外面に圧着される各第二の止め螺子で構成した天井ダクトのダクト吹出口に装着される撹拌扇。冷え過ぎ解消と、空気撹拌・拡散が図れる。【選択図】      図１−１
2014092355.tif 000002
【特許請求の範囲】
【請求項１】
天井ダクト、スポットクーラのダクト吹出口に装着される一個、又は複数個の第一・第二の螺孔を有する環体と、この環体外面に添設した対の脚部、及びこの対の脚部に連結した棧部でなるコ字形の取付体と、この取付体に設けたファンと、前記環体に複数個設けた止め具と、前記第一の螺孔に螺着され、かつ前記吹出口外面に設けられる一個、又は複数個の第一の止め螺子と、前記取付体の各脚部の各長孔に設け、かつ前記第二の螺孔に螺着されるとともに、前記環体外面に設けられる一個、又は複数個の第二の止め螺子で構成した天井ダクト、スポットクーラのダクト吹出口に装着される撹拌扇。
【請求項２】
請求項１に記載の天井ダクト、スポットクーラのダクト吹出口に装着される撹拌扇であって、
前記止め具は、略倒Ｌ形形状とし、この倒Ｌ形の基端を、前記環体内面に設けるとともに、この倒Ｌ形の折曲片を、この環体中心に向かって突出するように設ける構造とした天井ダクト、スポットクーラのダクト吹出口に装着される撹拌扇。
【請求項３】
請求項１に記載の天井ダクト、スポットクーラのダクト吹出口に装着される撹拌扇であって、
前記取付体は、前記環体外面に設けた一組のレールを、対で設け、この対のレールに、前記対の脚部を摺動自在に設け、この対の脚部の摺動で、前記棧部と、前記吹出口の間隔調整を可能とする構造とした天井ダクト、スポットクーラのダクト吹出口に装着される撹拌扇。
【請求項４】
請求項１に記載の天井ダクト、スポットクーラのダクト吹出口に装着される撹拌扇であって、
前記ファンは、前記取付体の棧部に設けた螺軸に、前記ファンを螺嵌し、このファンを、この螺軸に設けたナットで取付ける構造とした天井ダクト、スポットクーラのダクト吹出口に装着される撹拌扇。
【請求項５】
請求項１に記載の天井ダクト、スポットクーラのダクト吹出口に装着される撹拌扇であって、
前記ファンは、樹脂製とする構造とした天井ダクト、スポットクーラのダクト吹出口に装着される撹拌扇。
【発明の詳細な説明】
【技術分野】
【０００１】
本発明は、天井ダクト、スポットクーラのダクト吹出口に装着される撹拌扇に関する。
【背景技術】
【０００２】
この種の天井ダクト、スポットクーラは、局所に向かって冷風等を送風（噴射）する。このように、一箇所に向かって送風することから、弊害があり、その解決策が望まれている。また、不便、かつ無駄であることから、その解決策が要望される状況となっている。
【０００３】
この弊害としては、送風が直接当たることから、冷え過ぎが問題となる。殊に、女子の場合は、身体に悪影響を与えるケースも増加しており、その対策が急務である。しかし、現実には、何ら手段が施されていない。
【０００４】
また、不便、かつ無駄に関する改良の一例として、例えば、特開平１０−６１９７５号公報、又は特開２００４−１８３９２７号公報で開示されている発明がある（文献（１）、文献（２）とする）。この発明は、複数の吹出口を設けるとともに、この複数の吹出口からの送風を、センサー、及びコンピュータ等の制御機器を利用して、コントロールする構造である。従って、作業者が、作業箇所を移動するに合わせて、対応する吹出口から送風する。この発明は、有効であるが、一つの吹出口から、直接、送風することは従来と同様であり、前記の弊害の解消にはならない。
【０００５】
また、空調機の分岐ダクトの吹出口に設けたファンに関する発明として、例えば、特開２０１０−１５１４１８号公報で開示されている発明がある（文献（３）とする）。この発明は、天井面に設けたグリルに、ファンを上下動可能に設け、グリルに吸込む外気量の調整を図るとともに、グリルの吹出口からの吹出量の調整も可能とする構造である。しかし、一つの吹出口から、直接、送風することは従来と同様であり、前記の弊害の解消にはならない。
【０００６】
【特許文献１】特開平１０−６１９７５号公報
【特許文献２】特開２００４−１８３９２７号公報
【特許文献３】特開２０１０−１５１４１８号公報
【発明の概要】
【発明が解決しようとする課題】
【０００７】
前述の如く、一つの吹出口から、直接、送風することによる弊害、例えば、冷え過ぎの問題と、吹出口の近傍に、風を撹拌、及び人の移動範囲における送風確保が図れない問題、等が挙げられる。
【０００８】
これに鑑み、本発明は、冷え過ぎの問題解消と、吹出口の近傍に、風を撹拌することで、人の移動範囲における送風確保等が達成できる構造を提案する。
【課題を解決するための手段】
【０００９】
前述した、冷え過ぎの問題解消と、吹出口の近傍に、風を撹拌（拡散等）することで、人の移動範囲における送風確保等を達成することを目的として、下記の請求項１−５を提案する。
【００１０】
請求項１の発明は、天井ダクト、スポットクーラのダクト吹出口に装着される一個、又は複数個の第一・第二の螺孔を有する環体と、この環体外面に添設した対の脚部、及びこの対の脚部に連結した棧部でなるコ字形の取付体と、この取付体に設けたファンと、前記環体に複数個設けた止め具と、前記第一の螺孔に螺着され、かつ前記吹出口外面に設けられる一個、又は複数個の第一の止め螺子と、前記取付体の各脚部の各長孔に設け、かつ前記第二の螺孔に螺着されるとともに、前記環体外面に設けられる一個、又は複数個の第二の止め螺子で構成した天井ダクト、スポットクーラのダクト吹出口に装着される撹拌扇である。
【００１１】
請求項２の発明は、請求項１に記載の天井ダクト、スポットクーラのダクト吹出口に装着される撹拌扇であって、
前記止め具は、略倒Ｌ形形状とし、この倒Ｌ形の基端を、前記環体内面に設けるとともに、この倒Ｌ形の折曲片を、この環体中心に向かって突出するように設ける構造とした天井ダクト、スポットクーラのダクト吹出口に装着される撹拌扇である。
【００１２】
請求項３の発明は、請求項１に記載の天井ダクト、スポットクーラのダクト吹出口に装着される撹拌扇であって、
前記取付体は、前記環体外面に設けた一組のレールを、対で設け、この対のレールに、前記対の脚部を摺動自在に設け、この対の脚部の摺動で、前記棧部と、前記吹出口の間隔調整を可能とする構造とした天井ダクト、スポットクーラのダクト吹出口に装着される撹拌扇である。
【００１３】
請求項４の発明は、請求項１に記載の天井ダクト、スポットクーラのダクト吹出口に装着される撹拌扇であって、
前記ファンは、前記取付体の棧部に設けた螺軸に、前記ファンを螺嵌し、このファンを、この螺軸に設けたナットで取付ける構造とした天井ダクト、スポットクーラのダクト吹出口に装着される撹拌扇である。
【００１４】
請求項５の発明は、請求項１に記載の天井ダクト、スポットクーラのダクト吹出口に装着される撹拌扇であって、
前記ファンは、樹脂製とする構造とした天井ダクト、スポットクーラのダクト吹出口に装着される撹拌扇である。
【発明の効果】
【００１５】
請求項１の発明は、天井ダクト、スポットクーラのダクト吹出口に装着される一個、又は複数個の第一・第二の螺孔を有する環体と、環体外面に添設した対の脚部、及び対の脚部に連結した棧部でなるコ字形の取付体と、取付体に設けたファンと、環体に複数個設けた止め具と、第一の螺孔に螺着され、かつ吹出口外面に設けられる一個、又は複数個の第一の止め螺子と、取付体の各脚部の各長孔に設け、かつ第二の螺孔に螺着されるとともに、環体外面に設けられる一個、又は複数個の第二の止め螺子で構成した天井ダクト、スポットクーラのダクト吹出口に装着される撹拌扇である。
【００１６】
従って、請求項１は、吹出口からの送風（風）を、ファンで撹拌することで、吹出口の近傍に、風を撹拌できる特徴と、この特徴で、冷え過ぎ解消と、並びに人の移動範囲における送風確保が図れる。また、人の移動と、作業性の向上が図れること、並びに撹拌にかかる設備費の節約化に寄与できる。
【００１７】
請求項２の発明は、請求項１に記載の天井ダクト、スポットクーラのダクト吹出口に装着される撹拌扇であって、
止め具は、略倒Ｌ形形状とし、倒Ｌ形の基端を、環体内面に設けるとともに、倒Ｌ形の折曲片を、環体中心に向かって突出するように設ける構造とした天井ダクト、スポットクーラのダクト吹出口に装着される撹拌扇である。
【００１８】
従って、請求項２は、請求項１の効果を達成するに、最適な、止め具の構造を提案する。
【００１９】
請求項３の発明は、請求項１に記載の天井ダクト、スポットクーラのダクト吹出口に装着される撹拌扇であって、
取付体は、環体外面に設けた一組のレールを、対で設け、対のレールに、対の脚部を摺動自在に設け、対の脚部の摺動で、棧部と、吹出口の間隔調整を可能とする構造とした天井ダクト、スポットクーラのダクト吹出口に装着される撹拌扇である。
【００２０】
従って、請求項３は、請求項１の効果を達成するに、最適な、取付体の構造を提案する。
【００２１】
請求項４の発明は、請求項１に記載の天井ダクト、スポットクーラのダクト吹出口に装着される撹拌扇であって、
ファンは、取付体の棧部に設けた螺軸に、ファンを螺嵌し、ファンを、螺軸に設けたナットで取付ける構造とした天井ダクト、スポットクーラのダクト吹出口に装着される撹拌扇である。
【００２２】
従って、請求項４は、請求項１の効果を達成するに、最適な、ファンの取付け構造を提案する。
【００２３】
請求項５の発明は、請求項１に記載の天井ダクト、スポットクーラのダクト吹出口に装着される撹拌扇であって、
ファンは、樹脂製とする構造とした天井ダクト、スポットクーラのダクト吹出口に装着される撹拌扇である。
【００２４】
従って、請求項５は、請求項１の効果を達成するに、最適な、止め具の構造を提案する。
【図面の簡単な説明】
【００２５】
【図１−１】天井ダクトの一部を示した状態で、ダクトに撹拌扇を設けた縮尺斜視図
【図１−２】スポットクーラにおいて、ダクトに撹拌扇を設けた縮尺斜視図
【図２−１】取付金具とファンとでなる撹拌扇の俯瞰図
【図２−２】図２−１の状態より、吹出口に近接した状態の撹拌扇の俯瞰図
【図３】撹拌扇の分解図であり、（イ）は環体（吹出口に取付ける部材）の斜視図、（ロ）は環体に設けられる取付体（ファンを支持する枠体）の斜視図
【図４−１】吹出口の直近に設けた撹拌扇を示し、かつ風の流れを示した縮尺模式図
【図４−２】吹出口の中間位置に設けた撹拌扇を示し、かつ風の流れを示した縮尺模式図
【図４−３】吹出口の最も離れた位置に設けたの撹拌扇を示し、かつ風の流れを示した縮尺模式図
【発明を実施するための形態】
【００２６】
撹拌扇Ａは、帯素材でなる環体１（１／２の半截曲面帯体を、環状にした構造も含む）と、この環体１に摺動可能に設けたコ字形の取付体２と、この取付体２に設けた可撓性のプラスチック製ファン３を主要構成とする。この撹拌扇Ａは、図１−１の天井ダクトＢ、又は図１−２のスポットクーラＣのフレキシブルダクトＤ（ダクトＤ）の吹出口Ｄ１に着脱自在に取付けられる。そして、望ましくは、図１−１に示した天井ダクトＢの本管Ｂ１、又は図示しないターミナルボックスより分岐されたダクトＤの各吹出口Ｄ１に取付ける（設置する）。又は図１−２のスポットクーラＣのダクトＤの各吹出口Ｄ１に着脱自在に取付けることも有用である。
【００２７】
この環体１には、吹出口Ｄ１に架承する（ダクトＤ内への陥没防止等）略倒Ｌ形形状でなるブラケット５（止め具）を複数個有しており、このそれぞれのブラケット５（以下、一個で説明する）は、倒Ｌ形の基端５ａを、環体１の内面１ａに設け、その折曲片５ｂを、環体１の中心に向かって突出するように設ける。このブラケット５は、環体１の内面１ａ、又は外面１ｂ（図示しない）等に複数設ける。このブラケット５の基端５ａと、この基端５ａが設けられた環体１の取付箇所には、第一の螺孔６が形成されている。この第一の螺孔６には、第一の止め螺子７が螺着、嵌着、挾持等して設けられ、この第一の止め螺子７の先端７ａは、吹出口Ｄ１の外面Ｄ１１に設けられる（圧着、又は押圧等される）。この方法で、吹出口Ｄ１に、この環体１が、取付けられる。尚、第一の止め螺子７の外面Ｄ１１への圧着等方法では、この環体１が、吹出口Ｄ１に、確実、かつ安定的に取付けられる。また、このブラケット５の折曲片５ｂは、吹出口Ｄ１の端面Ｄ１１１に係止される構造であって、この吹出口Ｄ１（ダクトＤ）の内方Ｄ１１１１に陥没しない構造とする。また、この折曲片５ｂの長さの寸法に対応した、吹出口Ｄ１の径に対応可能とすることで、例えば、吹出口Ｄ１径大小、その変形、又は異形形状等への有効性、交換性、利便性と、使用・保管等の汎用性に寄与できる。尚、図示しないが、ブラケット５以外の止め具としては、例えば、倒Ｕ字形形状、鍵形形状、ヘ字形形状等の他の形状でも可能である。
【００２８】
また、この環体１の外面１ｂ、又は内面１ａ（図示しない）等の縦方向には、一組のレール８、８を、対峙方向に対で設ける（代表として、８とする。また対の例は、一方で説明する）。この対のレール８には、それぞれコ字形の取付体１０の両脚部１０ａ、１０ａが差込まれる。この脚部１０ａには、縦方向に向かって長孔１０ｂ、１０ｂが形成されている。また、この取付体１０には、前記両脚部１０ａに差渡して設けた棧部１０ｃが設けられる。実施例は、両脚部１０ａと棧部１０ｃを、一体形成するが一例である。そして、この取付体１０の棧部１０ｃには、螺軸１１が立設されている。この螺軸１１には、ファン３のハブ部３ａに設けた管体１５が差込まれる。このハブ部３ａを差込んだ後に、螺子部１１ａにナット１２を螺嵌し、螺軸１１にファン３を取付ける。このファン３は、螺軸１１に遊嵌した管体１５を利用して、軽やかに、かつ騒音もなく、しかもスムーズな回転が可能となる。
【００２９】
この取付体１０を、環体１に取付ける一例を説明すると、環体１の一組のレール８に脚部１０ａを挿入し、この脚部１０ａの長孔１０ｂに差込んだ第二の止め螺子１３、１３を、環体１に設けた第二の螺孔１ｃ、１ｃに螺着、嵌着、挾持等して設ける（また、第二の止め螺子１３、１３を、取付体１０の第三の螺孔（図示しない）を設けることも可能である。さらには、第二の螺孔１ｃ、１ｃと第三の螺孔の双方もあり得る。この双方では、安定性と取付体１０の強固な取付けが図れる）。この方法で、環体１に、取付体１０が、希望する高さに、調整可能に取付けられる。尚、第二の止め螺子７の圧着面を、脚部１０ａの外側に圧着すると、取付体１０が、環体１に、確実、かつ安定的に取付けられる。このように、第二の止め螺子１３を螺戻、又は螺入し、かつ取付体１０の摺動を利用することで、吹出口Ｄ１の所定高さ箇所に止め付けされる。この取付体１０の摺動は、図１又は図３（イ）に示した長手方向Ｘである。この摺動を介して、吹出口Ｄ１の開口（端面Ｄ１１１）からのファン３の接離を図り、この吹出口Ｄ１１からの風の流れと、撹拌方向（拡散方向）、又は風量、風速等の制御をするとともに、工場内空間の撹拌、又は風量、風速等を制御する。
【００３０】
以下、撹拌扇Ａの取付けと使用を説明すると、それぞれの例における、ダクトＤの吹出口Ｄ１に、環体１を被嵌し、ブラケット５の折曲片５ｂを、端面Ｄ１１１に係止する。この係止で、撹拌扇ＡのダクトＢ内への陥没防止と、端面Ｄ１１１に仮止めされる。その後、複数の第一の止め螺子７を螺入し、第一の止め螺子７の先端７ａを、ダクトＤの外面Ｄ１１に圧着することで、この撹拌扇Ａの取付け、かつ固定が完了する。この状態において、ファン３の位置を変更する場合は、第二の止め螺子１３を螺戻し、環体１と取付体１０の緊締を解除する。この解除を利用して、取付体１０を長手方向Ｘに移動し、所定の位置に到った段階で、螺戻した第二の止め螺子１３を螺入する。この螺入で、移動した取付体１０を環体１に固定することで、移動と固定が終了する。
【００３１】
図４−１〜図４−３は、本発明の使用例を模式的に示したものであり、図４−１が、前述した、撹拌扇Ａを、吹出口Ｄ１の直近に設けた例の風の流れを示している。また、図４−２と、図４−３は、その他の各実施例を示しており、この図４−２は、撹拌扇Ａを、吹出口Ｄ１の中間位置に設けた例の風の流れを示し、また、図４−３は、撹拌扇Ａを、吹出口Ｄ１の最も離れた位置に設けた例の風の流れを示している。これらは、本発明の各使用例の一例を示したものであり、限定されない。また、本発明は、各使用例の如く、工場の温湿度調整、又は人の配置、人数、また、場所の広狭等に対応して、フレキシブルな対応ができ、重宝する。この図４−２と図４−３は、風の流れの撹拌、又は拡散等を図り、さらに自然風の雰囲気を醸成すること、更に冷感緩和を図ること、等を意図する。
【００３２】
前記ファン３を、可撓性のプラスチック製とする意図は、例えば、接触した際の怪我防止と、イベント時における趣向性向上、並びにファン３を剥き出し式で使用可能とすること、又は、天井ダクトＢ、スポットクーラＣにおいては、局所送風であり、ファン３を、剥き出し式に使用すること、等を考慮した。
【００３３】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００３４】
１            環体
１ａ          内面
１ｂ          外面
１ｃ          第二の螺孔
２            取付体
３            ファン
３ａ          ハブ部
５            ブラケット
５ａ          基端
５ｂ          折曲片
６            第一の螺孔
７            第一の止め螺子
７ａ          先端
８            レール
１０          取付体
１０ａ        脚部
１０ｂ        長孔
１０ｃ        棧部
１１          螺軸
１１ａ        螺子部
１２          ナット
１３          第二の止め螺子
１５          管体
Ａ            撹拌扇
Ｂ            天井ダクト
Ｂ１          本管
Ｃ            スポットクーラ
Ｄ            ダクト
Ｄ１          吹出口
Ｄ１１        外面
Ｄ１１１      端面
Ｄ１１１１    内方
【図１−１】
2014092355.tif 000003
【図１−２】
2014092355.tif 000004
【図２−１】
2014092355.tif 000005
【図２−２】
2014092355.tif 000006
【図３】
2014092355.tif 000007
【図４−１】
2014092355.tif 000008
【図４−２】
2014092355.tif 000009
【図４−３】
2014092355.tif 000010